(57)【要約】      （修正有）【課題】従来よりも短い期間で育毛効果が得られる育毛補助装置を提供する。【解決手段】キャップ型育毛補助装置１は、人間の頭皮の一部を包囲するように頭皮の外側に配置される包囲体であるキャップ部材３と、キャップ部材３の内部に配置されて、頭皮に光を照射する光照射部５を備えている。キャップ部材３の内部の光照射部５よりも頭皮側に配置される内装部材７を備え、内装部材７には、頭皮と対向する位置にイオンを放出可能にプラチナナノ粒子が配置されている。【選択図】図３
0003218397.tif 000002
【実用新案登録請求の範囲】
【請求項１】
人間の頭皮の一部を包囲するように前記頭皮の外側に配置される包囲体と、
前記包囲体の内部に配置されて、前記頭皮に光を照射する光照射部を備えた育毛補助装置であって、
前記包囲体の内部の前記光照射部よりも前記頭皮側に配置される内装部材を備え、
前記内装部材には、前記頭皮と対向する位置にイオンを放出可能にプラチナナノ粒子が配置されていることを特徴とする育毛補助装置。
【請求項２】
前記内装部材は、シリコーン材料により一体に形成されており、
前記プラチナナノ粒子が前記シリコーン材料に混錬されている請求項１に記載の育毛補助装置。
【請求項３】
前記シリコーン材料は光透過性を有する請求項２に記載の育毛補助装置。
【請求項４】
前記内装部材は、前記光照射部から照射された光が前記頭皮に当たることを可能にするように形成されている請求項１または２に記載の育毛補助装置。
【請求項５】
前記内装部材は、前記包囲体から離れる方向に延び且つ所定の間隔をあけて配置された複数の突起を備えている請求項１乃至４のいずれか１項に記載の育毛補助装置。
【請求項６】
前記プラチナナノ粒子が少なくとも前記複数の突起内に配置されている請求項５に記載の育毛補助装置。
【請求項７】
前記光照射部は、前記包囲体の内面に沿う形状のフレキシブル基板と、該フレキシブル基板に形成された配線パターンと、前記フレキシブル基板に分散して装着されて前記配線パターンから給電される複数の発光ダイオードを備えている請求項１乃至６のいずれか１項に記載の育毛補助装置。
【請求項８】
前記複数の発光ダイオードは、波長が５８０ｎｍ〜７００ｎｍの赤色発光ダイオードと、波長が４００ｎｍ〜４９０ｎｍの青色発光ダイオードと、波長が８００ｎｍ〜９５０ｎｍの近赤外線発光ダイオードからなる請求項７に記載の育毛補助装置。
【考案の詳細な説明】
【技術分野】
【０００１】
本考案は、頭皮に光を照射する光照射部を備えた育毛補助装置に関するものである。
【背景技術】
【０００２】
特許第４２５７２９４号公報（特許文献１）には、左右の耳当て部を連結するフレームに沿って、複数の発光ダイオードを、照射方向を頭皮側に向けて配設し、フレームに沿って、発光ダイオードと頭皮とを所定距離だけ離間する距離保持突起を設け、複数の発光ダイオードを制御する制御手段を備えたヘッドフォン型育毛補助装置が提案されている。
【０００３】
また、実開平５−７７２１６号公報（特許文献２）には、コロイド状プラチナ（プラチナナノ粒子）をアルミナ−シリカに含有させたプラチナ含有繊維を帽子キャップの内側に配置して、頭皮細胞と体液クラスタの浸透性を良好にし、有害成分を除去して毛根活動を活発にする帽子キャップが開示されている。
【先行技術文献】
【特許文献】
【０００４】
【特許文献１】特許第４２５７２９４号公報
【特許文献２】実開平５−７７２１６号公報
【考案の概要】
【考案が解決しようとする課題】
【０００５】
特許文献１に記載の育毛補助装置は発行ダイオードからの光を頭皮に当てることにより、一定の効果が得られるものの、使用者が満足する結果が得られていないという実情がある。また特許文献２に記載のコロイド状プラチナも十分に効果が発揮されていない実情がある。
【０００６】
本考案の目的は、従来よりも使用者が満足することができる育毛補助装置を提供することにある。
【課題を解決するための手段】
【０００７】
本考案は、人間の頭皮の一部を包囲するように頭皮の外側に配置される包囲体と、包囲体の内部に配置されて、頭皮に光を照射する光照射部を備えた育毛補助装置を改良の対象とする。本考案では、包囲体の内部の光照射部よりも頭皮側に配置される内装部材を備え、内装部材には、頭皮と対向する位置にイオンを放出可能にプラチナナノ粒子（白金ナノコロイド）が配置されている。
【０００８】
プラチナナノ粒子が配置されている内装部材の後方にある光照射部から頭皮に光を照射すると、従来の育毛補助装置よりも短い期間で育毛効果が得られることが確認された。これは、プラチナナノ粒子に当たった光がイオンの放出を促進し、しかも頭皮に発行ダイオードの光が当たることによって、イオンと光の両方が頭皮の新陳代謝を促し、頭皮の老廃物の排出を促進するためであると考える。
【０００９】
なお内装部材は、シリコーン材料により一体に形成されており、プラチナナノ粒子がシリコーン材料に混錬されていることが好ましい。このような内装部材を備えると、プラチナナノ粒子の保持及び分散が確実なものとなるため、簡単に広い範囲にわたってプラチナナノ粒子が分散した状態で保持することが可能になる。また、シリコーン材料で一体に形成することにより、内装部材を水洗いすることも可能になり、内装部材の表面に付着した汚れを除去すれば、プラチナナノ粒子のイオン放出効果を高いまま維持することができる。
【００１０】
シリコーン材料は光透過性を有していることが好ましい。このようなシリコーン材料を用いると、内装部材が頭皮側に配置されていても発行ダイオードからの光を、プラチナナノ粒子に当てた上で、光照射部から頭皮に光を照射することができる。なお、内装部材の構造は、光照射部から照射された光が直接または間接にプラチナナノ粒子に当たり、その上で光が頭皮に当たることを可能にするように形成されていれば、内装部材が光透過性を有していなくとも良い。
【００１１】
内装部材は、包囲体から離れる方向に延び且つ所定の間隔をあけて配置された複数の突起を備えていることが好ましい。このような突起を設けると、突起の先端に集中してイオンが流動するため、イオンを集中して頭皮に向けて放出することができる。
【００１２】
プラチナナノ粒子が少なくとも複数の突起内に配置されていることが好ましい。このように配置すると、プラチナナノ粒子からのイオンを効率よく集中させることができる。
【００１３】
また、光照射部は、包囲体の内面に沿う形状のフレキシブル基板と、該フレキシブル基板に形成された配線パターンと、フレキシブル基板に分散して装着されて配線パターンから給電される複数の発光ダイオードを備えていることが好ましい。このような形状のフレキシブル基板を用いると、包囲体と内装部材との間の空間内に、内装部材または包囲体に沿って複数の発光ダイオードを配置することができる。
【００１４】
複数の発光ダイオードは、波長が５８０ｎｍ〜７００ｎｍの赤色発光ダイオードと、波長が４００ｎｍ〜４９０ｎｍの青色発光ダイオードと、波長が８００ｎｍ〜９５０ｎｍの近赤外線発光ダイオードからなることが好ましい。このような発光ダイオードを組み合わせると、頭皮内に到達する光エネルギの深さを変えることができるので、高い育毛効果が得られることが確認されている。理由は定かではないが、これらの波長範囲の３種類の発光ダイオードを用いると、頭皮下のある程度の深さ範囲にコラーゲンを産生させることができて、これが毛包を活性化させるためであると考える。
【図面の簡単な説明】
【００１５】
【図１】本考案の育毛補助装置をキャップ型育毛補助装置に適用した実施の形態の構成を示す図である。
【図２】図１のキャップ型育毛補助装置を、底面を上に向けた状態の斜視図である。
【図３】図１のキャップ部材のIII−III線断面図である。
【図４】図１のキャップ部材のIV−IV線断面図である。
【図５】キャップ部材から内装部材を取り除いて、光照射部を露出した状態をキャップ部材の底面側から見た図である。
【図６】内装部材を装着したキャップ部材を底面側から見た図である。
【図７】他の実施の形態のキャップ型育毛補助装置で用いる内装部材を装着したキャップ部材を底面側から見た図である。
【考案を実施するための形態】
【００１６】
以下、図面を参照して本考案の育毛補助装置の実施の形態の一例について説明する。
【００１７】
本実施の形態のキャップ型育毛補助装置１は、図１〜６に示す構造を有している。キャップ型育毛補助装置１は、人間の頭皮の一部を包囲するように頭皮の外側に配置される包囲体を構成するキャップ部材３と、キャップ部材３の内部に配置されて、頭皮に光を照射する光照射部５と、内装部材７を備えている。キャップ部材３の内部の光照射部５よりも頭皮側に配置される内装部材７には、人間の頭皮と対向する位置にイオンを放出可能にプラチナナノ粒子が配置されている。内装部材７の構造については、後に詳しく説明する。
【００１８】
また、キャップ型育毛補助装置１は、図示しない商用電源と光照射部５とを接続する接続ケーブル９を備えている。接続ケーブル９の途中には、商用電源から光照射部５への給電の有無を切り替えるスイッチ部１１を備えている。内装部材７には、内装部材７を厚み方向に貫通する貫通孔１３を形成したケーブル挿入部１５を備えている。接続ケーブル９は、貫通孔１３を通って商用電源と光照射部５とを接続する。
【００１９】
キャップ型育毛補助装置１は調整ベルト１７を備えている。調整ベルト１７は、内装部材７と一体に形成された一対の基部１９と、長さ調整機構２１を備えて一対の基部１９に跨がって配置される調整ベルト本体２３とから構成されている。長さ調整機構２１を操作して、調整ベルト本体２３の長さを長くしたり短くしたりすることにより、使用者の頭部の形状及び大きさに合わせてキャップ型育毛補助装置１の寸法及び形状を調整する。なお、本実施の形態では一対の基部１９を内装部材７と一体に形成されているが、別部材として留め具等で固定してもよいのはもちろんである。また、一対の基部１９を内装部材７に固定するのではなく、キャップ部材３に固定してもよい。
【００２０】
本実施の形態のキャップ部材３は、可撓性を有するプラスチック材料やシリコーン材料により一体に形成されている。キャップ部材３は複数の部材から構成されていてもよいが、使用者の頭部の形状及び大きさに合わせて変形することができるように、本実施の形態のように、可撓性を有する材料で形成されているのが好ましいが、ヘルメットのように硬質の材料によって形成しても良いのは勿論である図２、図３及び図５に示すように、キャップ部材３には、変形を容易にするために、溝部３９が形成されている。
【００２１】
図４に示すように、光照射部５は、キャップ部材３の内面に沿うように変形する形状のフレキシブル基板２５と、該フレキシブル基板２５に形成された図示しない配線パターンと、フレキシブル基板２５に分散して装着されて配線パターンから給電される複数の発光ダイオード２７を備えている。フレキシブル基板２５は、略円形の中央部２９と中央部２９の外周から周方向に互いに間隔を開けて中央部２９から離れる方向に延びる１２枚の延伸部３１ａ〜３１ｌとから構成されている。延伸部３１ａ〜３１ｌは、中央部２９から離れるに従って幅寸法が広くなる輪郭形状を有している。
【００２２】
このようにフレキシブル基板２５を中央部２９と１２枚の延伸部３１ａ〜３１ｌとから構成したことにより、キャップ部材３の内面に沿って無理なくフレキシブル基板２５を配置することができる。またキャップ型育毛補助装置１が撓んだ場合であっても、延伸部３１ａ〜３１ｌの間隔が変わったり、フレキシブル基板２５自身が撓んで、配線パターンと発光ダイオード２７との接続部に無理な力がかかること防ぐことができる。また、配線パターンは、ケーブル挿入部１５を通る接続ケーブル９と接続することにより、商用電源から電力の供給を受けることができる。フレキシブル基板２５は、キャップ部材３と内装部材７とに挟まれた状態でキャップ部材３に対して固定されている。また、キャップ部材３の内面の中央に形成された凸部４１が、フレキシブル基板２５の中央部２９の中心に形成された孔４３に嵌合することにより、フレキシブル基板２５の位置がずれることを防いでいる。
【００２３】
なおフレキシブル基板２５は、いわゆる面ファスナーを用いて、キャップ部材３の内面に装着しても良く、接着剤等のその他の貼り付け手段を用いても良いのは勿論である。
【００２４】
複数の発光ダイオード２７は、フレキシブル基板２５の上に、ほぼ全体的に分散して配置されている。本実施の形態では、複数の発光ダイオード２７として、波長が５８０ｎｍ〜７００ｎｍの赤色発光ダイオード２７ａと、波長が４００ｎｍ〜４９０ｎｍの青色発光ダイオード２７ｂと、波長が８００ｎｍ〜９５０ｎｍの近赤外線発光ダイオード２７ｃを用いている。このような３種類の発光ダイオード２７ａ〜２７ｃを組み合わせると、頭皮内に到達する光エネルギの深さを変えることができるので、高い育毛効果が得られることが確認されている。理由は定かではないが、これらの波長範囲の３種類の発光ダイオードを用いると、頭皮下のある程度の深さ範囲にコラーゲンを産生させることができて、これが毛包を活性化させるためであると考える。
【００２５】
本実施の形態では、赤色発光ダイオード２７ａの波長は６２５ｎｍ（±５％）、青色発光ダイオード２７ｂの波長は４６０ｎｍ（±５％）、近赤外線発光ダイオード２７ｃの波長は８４５ｎｍ（±５％）のものが用いられている。また、赤色発光ダイオード２７ａは１６０個、青色発光ダイオード２７ｂは４８個、近赤外線発光ダイオード２７ｃは８０個をそれぞれ備えている。複数の発光ダイオード２７は中央部２９の中心点Ｐから外周側に向かって放射状に配列されている。３種類の発光ダイオード２７ａ〜２７ｃは、実質的に均等に分布するように配置されている。
【００２６】
本実施の形態の内装部材７は、光透過性と可撓性を有するシリコーン材料により、キャップ部材３の内面に沿うように一体に形成されている。したがって内装部材７は、ヘルメット状に湾曲した外観形状を有している。内装部材７を形成するために用いたシリコ−ン材料には、プラチナナノ粒子が混錬されている。シリコーン材料は、体積比約５％でプラチナナノ粒子が混練されたものを用いた。このような内装部材７を備えると、プラチナナノ粒子の保持及び分散が確実なものとなるため、簡単に広い範囲にわたってプラチナナノ粒子が分散した状態で保持することが可能になる。また、シリコーン材料で一体に形成することにより、内装部材を水洗いすることも可能になり、内装部材７の表面に付着した汚れを除去すれば、プラチナナノ粒子のイオン放出効果を高いまま維持することができる。本実施の形態のように可撓性を有するシリコーン材料により内装部材７を形成すると、使用者の頭部の形状及び大きさに合わせて変形することができる。また本実施の形態のように、光透過性を有するシリコーン材料を用いて内装部材７を形成すると、内装部材７が頭皮側に配置されていても発光ダイオードからの光を、プラチナナノ粒子に当てた上で、光照射部５から頭皮に光を照射することができる。
【００２７】
また、内装部材７は、キャップ部材３から離れる方向に延び且つ所定の間隔をあけて配置された複数の突起３３を備えている。本実施の形態では、１３７個の突起３３が設けられている。そして本実施の形態では、複数の突起３３は仮想の複数の同心円に沿って並ぶ複数の環状突起列を形成している。なお本実施の形態の場合、隣り合う２つの突起３３と突起３３間の距離は５ｍｍ〜１５ｍｍの間であるのが好ましい。複数の突起３３は、可撓性及び弾力性を有するシリコーン材料で形成され、内装部材７の本体部３５と一体に形成されている。複数の突起３３は、先端に向かうに従って横断面の面積が小さくなるほぼ円錐形に近似した形状を有している。突起３３の本体部３５に連続する基部の直径寸法は、３ｍｍ〜５ｍｍの間であるのが好ましい。また突起３３の長さは、    ６ｍｍ〜１２ｍｍの間であるのが好ましい。複数の突起３３内にはプラチナナノ粒子が分散して配置されている。このような突起を設けると、突起の先端に集中してイオンが流動するため、イオンを集中して頭皮に向けて放出することができる。
【００２８】
さらに、複数の突起３３は、可撓性及び弾力性を有するシリコーン材料で形成されているため、使用者が頭部にキャップ型育毛補助装置１を装着した時に突起３３により、頭皮を損傷する恐れがない。
【００２９】
［他の実施の形態］
図７は、他の実施の形態のキャップ型育毛補助装置１０１の内装部材１０７の構造を表した底面図である。
【００３０】
この実施の形態のキャップ型育毛補助装置１０１が上述のキャップ型育毛補助装置１と相違する点は、内装部材１０７が光透過性の低い材料で形成されている点と、内装部材１０７の本体部１３５に複数のスリット１３７を備えている点である。複数のスリット１３７は、本体部１３５の複数の突起１３３が配置されていない部分に形成されている。複数のスリット１３７は、内装部材１０７の本体部１３５を厚み方向に貫通している。このような複数のスリット１３７を備えることにより、内装部材１０７の光透過性が低い場合でも、光照射部１０５から照射された光が頭皮に当たることを可能にしている。
【００３１】
なお、この実施の形態では複数のスリット１３７を設けたが、光照射部から照射された光が頭皮に当たるように内装部材の本体部を厚み方向に貫通しているのであれば、スリットの代わりに円形の貫通孔を設けてもよいし、内装部材の本体部をメッシュ状にしてもよい。
【産業上の利用可能性】
【００３２】
本考案によれば、プラチナナノ粒子に当たった光がイオンの放出を促進し、しかも頭皮に発行ダイオードの光が当たることによって、イオンと光の両方が頭皮の新陳代謝を促し、頭皮の老廃物の排出を促進するため、従来の育毛補助装置よりも短い期間で育毛効果が得られる。
【符号の説明】
【００３３】
１  キャップ型育毛補助装置
３  キャップ部材
５  光照射部
７  内装部材
９  接続ケーブル
１１  スイッチ部
１３  貫通孔
１５  ケーブル挿入部
１７  調整ベルト
１９  基部
２１  長さ調整機構
２３  調整ベルト本体
２５  フレキシブル基板
２７  発光ダイオード
２９  中央部
３１  延伸部
３３  突起
【図１】
0003218397.tif 000003
【図２】
0003218397.tif 000004
【図３】
0003218397.tif 000005
【図４】
0003218397.tif 000006
【図５】
0003218397.tif 000007
【図６】
0003218397.tif 000008
【図７】
0003218397.tif 000009